(57)【要約】【課題】接地部材の記録ヘッドとの接点位置が、該記録ヘッドの上流側であって被記録媒体搬送経路に臨む位置に配設されている構造であっても、紙ジャムなどによって前記接点部分が変形等する虞のない記録装置を提供すること。【解決手段】記録ヘッドを搭載し主走査方向にキャリッジガイド軸に案内されて往復動するキャリッジと、前記キャリッジに取り付けられ、記録ヘッドとキャリッジガイド軸とを導通状態にする接地部材とを備え、接地部材の記録ヘッドとの接点位置は、記録ヘッドの上流側であって被記録媒体搬送経路に臨む位置に配設され、キャリッジには、当該接点に対する被記録媒体の接触の虞を低減する保護部材が設けられている。【選択図】図５
2006015531.tif 000002
【特許請求の範囲】
【請求項１】
記録ヘッドを搭載し主走査方向にキャリッジガイド軸に案内されて往復動するキャリッジと、
記録ヘッドと対向する領域を前記主走査方向と直交する方向である副走査方向に通る被記録媒体搬送経路と、
前記キャリッジに取り付けられ、前記記録ヘッドと前記キャリッジガイド軸とを導通状態にする接地部材と、を備えた記録装置であって、
前記接地部材の前記記録ヘッドとの接点位置は、該記録ヘッドの上流側であって前記被記録媒体搬送経路に臨む位置に配設され、
前記キャリッジには、前記接点位置が前記被記録媒体搬送経路に臨む位置であることに基づいて発生する当該接点に対する被記録媒体の接触の虞を低減する保護部材が設けられていることを特徴とする記録装置。
【請求項２】
請求項１において、前記キャリッジは射出成形可能な材料で形成され、前記保護部材はキャリッジと射出成形により一体的に形成されていることを特徴とする記録装置。
【請求項３】
請求項２において、前記接地部材の前記記録ヘッドとの接点となる部位は押圧舌片として本体から突出形成され、前記保護部材は門形形状に形成されると共に前記押圧舌片を両側から跨いだ状態で設けられていることを特徴とする記録装置。
【請求項４】
液体噴射ヘッドを搭載し主走査方向にキャリッジガイド軸に案内されて往復動するキャリッジと、
液体噴射ヘッドと対向する領域を前記主走査方向と直交する方向である副走査方向に通る被噴射媒体搬送経路と、
前記キャリッジに取り付けられ、前記液体噴射ヘッドと前記キャリッジガイド軸とを導通状態にする接地部材と、を備えた液体噴射装置であって、
前記接地部材の前記液体噴射ヘッドとの接点位置は、該液体噴射ヘッドの上流側であって前記被噴射媒体搬送経路に臨む位置に配設され、
前記キャリッジには、前記接点位置が前記被噴射媒体搬送経路に臨む位置であることに基づいて発生する当該接点に対する被噴射媒体の接触の虞を低減する保護部材が設けられていることを特徴とする液体噴射装置。
【発明の詳細な説明】
【技術分野】
【０００１】
本発明は、記録ヘッドを搭載し主走査方向にキャリッジガイド軸に案内されて往復動するキャリッジと、記録ヘッドと対向する領域を前記主走査方向と直交する方向である副走査方向に通る被記録媒体搬送経路と、前記キャリッジに取り付けられ、前記記録ヘッドと前記キャリッジガイド軸とを導通状態にする接地部材と、を備えた記録装置に関する。  
更に本発明は、インク等の液体をそのヘッドから吐出して被噴射媒体に噴射を実行するインクジェット式記録装置などの液体噴射装置に関するものである。
【０００２】
ここで液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記記録ヘッドに相当する液体噴射ヘッドから被記録媒体に相当する被噴射媒体に噴射して、前記液体を前記被噴射媒体に付着させる装置を含む意味で用いる。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００４】
特許文献１には、インクジェットプリンタにおける記録ヘッドに金属カバーを設け、該金属カバーを接地部材によって電気的に接地する構造が記載されている。しかし、その限りであり、接地部材の記録ヘッドとの接点部分を他部材の接触に基づく破損から保護することについて全く考慮されていない。
【０００５】
【特許文献１】特開平１１−２９１４６５号公報
【発明の開示】
【発明が解決しようとする課題】
【０００６】
上流側から送られる被記録媒体（用紙等）が何らかの原因でジャムった場合（紙ジャム）、記録装置がそのジャムった状態を自ら検出してキャリッジの移動を停止するまでは、キャリッジは主走査方向への移動を続ける。その際、前記接地部材の前記記録ヘッドとの接点位置が、該記録ヘッドの上流側であって被記録媒体搬送経路に臨む位置に配設されている場合、前記ジャムった状態でのキャリッジの主走査方向への移動により、被記録媒体が接地部材の前記接点部分に強く擦り付けられる事態が発生する。この結果、接地部材の接点部分が変形する或いは破損する虞があった。
【０００７】
本発明の目的は、接地部材の記録ヘッドとの接点位置が、該記録ヘッドの上流側であって被記録媒体搬送経路に臨む位置に配設されている構造であっても、紙ジャムなどによって前記接点部分が変形或いは破損する虞のない記録装置及び液体噴射装置を提供することにある。
【課題を解決するための手段】
【０００８】
上記課題を達成するため、本発明の第１の態様に係る記録装置は、記録ヘッドを搭載し主走査方向にキャリッジガイド軸に案内されて往復動するキャリッジと、記録ヘッドと対向する領域を前記主走査方向と直交する方向である副走査方向に通る被記録媒体搬送経路と、前記キャリッジに取り付けられ、前記記録ヘッドと前記キャリッジガイド軸とを導通状態にする接地部材と、を備えた記録装置であって、前記接地部材の前記記録ヘッドとの接点位置は、該記録ヘッドの上流側であって前記被記録媒体搬送経路に臨む位置に配設され、前記キャリッジには、前記接点位置が前記被記録媒体搬送経路に臨む位置であることに基づいて発生する当該接点に対する被記録媒体の接触の虞を低減する保護部材が設けられていることを特徴とするものである。
【０００９】
本発明によれば、接地部材の接点位置が被記録媒体搬送経路に臨む位置であることに基づいて、紙ジャム等によって被記録媒体が接地部材の接点部分に擦り付けられようとしても、接地部材の接点部分に設けられた保護部材が、その擦り付けを防止して接点部分を保護するため、当該接点部分の変形や破損の虞を低減する。
【００１０】
また、本発明の第２の態様に係る記録装置は、第１の態様において、前記キャリッジは射出成形可能な材料で形成され、前記保護部材はキャリッジと射出成形により一体的に形成されていることを特徴とするものである。これにより、保護部材を容易に作ることができる。
【００１１】
また、本発明の第３の態様に係る記録装置は、第２の態様において、前記接地部材の前記記録ヘッドとの接点となる部位は押圧舌片として本体から突出形成され、前記保護部材は門形形状に形成されると共に前記押圧舌片を両側から跨いだ状態で設けられていることを特徴とするものである。  
本発明によれば、保護部材は門形形状に形成されると共に前記押圧舌片を両側から跨いだ状態で設けられているので、少ない材料で効果的な保護効果を得ることができる。
【００１２】
また、本発明の第４の態様に係る液体噴射装置は、液体噴射ヘッドを搭載し主走査方向にキャリッジガイド軸に案内されて往復動するキャリッジと、液体噴射ヘッドと対向する領域を前記主走査方向と直交する方向である副走査方向に通る被噴射媒体搬送経路と、前記キャリッジに取り付けられ、前記液体噴射ヘッドと前記キャリッジガイド軸とを導通状態にする接地部材と、を備えた液体噴射装置であって、前記接地部材の前記液体噴射ヘッドとの接点位置は、該液体噴射ヘッドの上流側であって前記被噴射媒体搬送経路に臨む位置に配設され、前記キャリッジには、前記接点位置が前記被噴射媒体搬送経路に臨む位置であることに基づいて発生する当該接点に対する被噴射媒体の接触の虞を低減する保護部材が設けられていることを特徴とするものである。
【発明を実施するための最良の形態】
【００１３】
以下、本願発明の実施の形態を図面に基づいて説明する。図１は本発明に係る記録装置１を示す斜視図であり、図２は記録装置の上部を開放した状態を示す斜視図であり、図３はキャリッジの正面側からの斜視図であり、図４はキャリッジの後面側からの天地を逆にして示した斜視図であり、図５は図４の要部拡大斜視図である。
【００１４】
図１に示す如く記録装置１は、プリンタ機能に加えてスキャナ機能を備えるタイプであり、装置本体３と、装置本体３の上面側に位置するスキャナユニット５と、スキャナユニット５の後方側に設けられる給送部７とを備えて成る。尚、本明細書において、前後左右の語を使用する場合には、図１中で定義した矢印の方向とする。
【００１５】
装置本体３は、主としてインクジェット式プリンタの機能、即ち給送部７から給送された被記録媒体Ｐに記録を行う記録ヘッド８（液体噴射ヘッドに相当する）、記録ヘッド８を支持しながら主走査方向に走査可能なキャリッジ４及び被記録媒体Ｐを副走査方向に給送および排出するための種々のローラ６からなる駆動系を備えている。図１中、符号９で示す部材は被記録媒体の排出受け部を示し、この排出受け部９は、プリンタ機能の使用時に手前側にほぼ９０°回動した状態で記録後の被記録媒体を受けるようにして使用する。装置本体３の上面左側には操作パネル１１が設けられており、スキャナユニット５を使用したスキャニング機能、装置本体３での記録機能及びスキャニングした画像を記録する機能などがこの操作パネル１１で操作可能となっている。
【００１６】
スキャナユニット５は、回動軸１３を中心に上方へ回動することにより開閉可能な蓋体１５を備え、蓋体１５の下側にはスキャニングを行う際に対象となる印刷物等を載置するガラス載置面（図示せず）が形成されている。更にガラス載置面の下側にはスキャニング装置（図示せず）が設けられている。スキャナユニット５は、それ自体が全体として回動軸１３を中心に上方へ回動することで装置本体３の上部が開放し、キャリッジ等の記録部（液体噴射装置では液体噴射部に相当する）の部材のメンテナンス等ができるようになっている。
【００１７】
図１に示す如く給送部７は、不使用時には蓋体１９によって閉鎖されており、蓋体１９を図１に示す如く後方側へ回動させることにより給送部７が開放状態となり、また一定角度位置で固定することで媒体サポート２３として機能するようになっている。媒体サポート２３には、被記録媒体Ｐの幅寸法に合わせて可動なエッジガイド２５が設けられている。蓋体１９が開放状態にある時、給送部７には給送口２７が形成され、媒体サポート２３にストックされた被記録媒体Ｐが図示しない送り機構により一枚ずつ給送口２７から記録部へ送り出されるようになっている。
【００１８】
図３、図４に示す如く、キャリッジ４の背面側にはキャリッジ支持部２９が形成されており、キャリッジ支持部２９は、キャリッジガイド軸であるスライド軸３１に対して滑らかに摺動できるように支持されている。装置本体３には図示しない駆動モータが取り付けられ、該駆動モータの出力軸に設けられる駆動プーリと、反対側に設けられる従動プーリとの間に歯付き無端ベルト３３が巻回されている。歯付き無端ベルト３３は、キャリッジ支持部２９の上面に形成される固定部３５においてキャリッジ４に接続されており、駆動モータの正逆回転に伴い、歯付き無端ベルト３３が時計回り又は反時計回りに周回運動をすることにより、キャリッジ４が主走査方向で往復運動することができる。
【００１９】
キャリッジ４は、本体部３７と、本体部３７に対して手前側に回動可能に取り付けられるカバー装置３９とを備え、本体部３７内には一例として４個のインクカートリッジＣを収容するための収容部４１が形成されている。収容部４１にインクカートリッジＣを収容した状態でカバー装置３９を図３に示すように閉じたとき、インクカートリッジＣは取り出しできないようになっている。
【００２０】
カバー装置３９は、キャリッジ４の手前側上部に形成された回動軸４３の周囲で回動可能である。回動軸４３の左端側は前後方向に僅かに移動可能に支持されており、回動軸４３の左端部にはバネ部材４５が設けられ、バネ部材４５が回動軸４３に当接することで回動軸４３を常時後方（第１方向）へ付勢している。図３に示す如く、カバー装置３９の左側部には凹状に切り欠かれた切り欠き部４７が形成されており、この切り欠き部４７に本体部３７から立ち上がるように形成された立ち上げ部４９が整合して嵌り込む構成となっている。
【００２１】
切り欠き部４７の前側に形成された後向きの面５１には、後方側へ延びる突起部５３が形成されており、一方立ち上げ部４９の前向きの面５５（面５１と対向する）には、突起部５３が係合するための係合凹部５７が突起部５３と対応する位置に形成されている。突起部５３は、カバー装置３９が閉鎖したときに係合凹部５７に係合するようになっており、このときバネ部材４５が回動軸４３を後方へ付勢していることで、突起部５３の係合凹部５７への係合がより強固となり、カバー部材３９の閉鎖状態を確実に維持することができる。またバネ部材４５のバネ定数を大きくすることにより、突起部５３が係合凹部５７に係合する際にクリック感及びクリック音を生じさせることができるようになっている。
【００２２】
カバー装置３９の切り欠き部４７の側面５９には、切り欠き部４７内に僅かに突出している凸部６１が形成されており、この凸部６１は、カバー装置３９が閉鎖している時には、立ち上げ部４９の内面６３の被係合部６０に圧接するようになっている。またカバー装置３９が完全に閉鎖していない状態では、凸部６１は、立ち上げ部４９の内面６３の延長線よりも外側に僅かに突出するように形成されている。またカバー装置を閉鎖する際に、凸部６１が最初に被係合部６０に当接する凸部６１の下面６２と、カバー装置を閉鎖する際に、被係合部６０が最初に凸部６１に当接する内面６３の上部６４は共に、斜面となっている。
【００２３】
このような凸部６１を形成することによりカバー装置３９の閉鎖時に凸部６１が被係合部６０に圧接するように係合する。すなわち、該圧接により、カバー装置３９本体に弾性変形が生じ、該弾性変形により蓄積された弾発力が前記係合によって一気に解放される。これによって、該カバー装置３９の閉鎖時に前記凸部６４が被係合部６０に瞬時に衝突するようになり、もってクリック感及びクリック音を生じ、使用者はカバー装置３９が確実に閉鎖したことを認識することができる。
【００２４】
次に、本発明の特徴部分である接地部材を備えた記録装置の構造について以下説明する。当該記録装置１は、記録ヘッド８を搭載し主走査方向にスライド軸（キャリッジガイド軸）３１に案内されて往復動するキャリッジ４と、記録ヘッド８と対向する領域を前記主走査方向と直交する方向である副走査方向に通る被記録媒体搬送経路７０と、前記キャリッジ４に取り付けられ、前記記録ヘッド８と前記スライド軸３１とを導通状態にする接地部材８０とを備えている。接地部材８０は、その本体８３部分がキャリッジ４の本体に突設された突起７５，７６，７７に係入されて、当該キャリッジ４に固定されている。
【００２５】
前記接地部材８０の記録ヘッド８の導電性枠部８ａとの接点位置９０は、記録ヘッド８の上流側であって被記録媒体搬送経路７０に臨む位置に配設されている。そして、キャリッジ４には、前記接点位置９０が被記録媒体搬送経路７０に臨む位置であることに基づいて発生する当該接点９０に対する被記録媒体Ｐの接触の虞を低減する保護部材１００が設けられている。本実施例では、保護部材１００は、接地部材８０の接点９０部分とは接触せず、僅かに離間して設けられている。また、キャリッジ４は射出成形可能な材料で形成されている。そして、保護部材１００はキャリッジ４と射出成形により一体的に形成されている。これにより、保護部材を容易に作ることができるようになっている。
【００２６】
接地部材８０の記録ヘッド８との前記接点９０となる部位は、本実施例では、幅細い形状の押圧舌片８１として本体８３から突出形成されている。更に、本体８３から幅広の押圧面８４が前記押圧舌片８１と反対側に突設され、スライド軸３１に押圧接触されている。前記保護部材１００は、図４、図５に示したように門形形状に形成されると共に前記押圧舌片８１の基部側を両側から跨いだ状態で設けられている。
【００２７】
次に、上記接地部材８０の作用を説明する。接地部材８０の接点位置９０が被記録媒体搬送経路７０に臨む位置であることに基づいて、紙ジャム等によって被記録媒体Ｐが接地部材８０の接点９０部分に擦り付けられ虞がある。その場合でも、本発明によれば、接地部材８０の接点９０部分に設けられた保護部材１００が、その擦り付けを防止して接点９０部分を保護する。そのため、当該接点９０部分の変形や破損の虞を低減する。
【００２８】
更に、保護部材１００は、門形形状に形成されると共に前記押圧舌片８１を両側から跨いだ状態で設けられているので、少ない材料で効果的な保護効果を得ることができる。
【００２９】
なお、当該保護部材１００の形状は、前記門形に限定されず、その保護機能を発揮する形状であれば、全て適用可能である。また、接地部材８０の押圧舌片８１が上記説明では保護部材１００から先端がはみ出た例を示したが、はみ出ずに完全に覆われて保護されるものであってもよい。
【図面の簡単な説明】
【００３０】
【図１】本発明に係る記録装置を示す斜視図。
【図２】本発明に係る記録装置の上部を開放した状態を示す斜視図。
【図３】同記録装置のキャリッジをその正面側からの斜視図。
【図４】同記録装置のキャリッジをその後面側からの天地を逆にして示した斜視図。
【図５】図４の要部拡大斜視図
【符号の説明】
【００３１】
１  スキャナ付き記録装置、３  装置本体、４  キャリッジ、５  スキャナユニット、
６  ローラ、７  給送部、８  記録ヘッド、９  排出受け部、１１  操作パネル、
１３  回動軸、１５  蓋体、１７  回動軸、１９  蓋体、２３  媒体サポート、
２５  エッジガイド、２７  給送口、２９  キャリッジ支持部、３１  スライド軸
３３  歯付き無端ベルト、３５  固定部、３７  本体部、３９  カバー装置
４１  収容部、４３  回動軸、４５  バネ部材、４７  切り欠き部、４９  立ち上げ部
５１  切り欠き部の後向きの面、５３  突起部、５５  立ち上げ部の前向きの面
５７  係合凹部、５９  切り欠き部の側面、６０  被係合部、６１  凸部、
６２  凸部の下面、６３  立ち上げ部の内面、６４  内面の上部、８０  接地部材、
８１  押圧舌片、８４  押圧面、８ａ  導電性枠部、１００  保護部材、
Ｃ  インクカートリッジ、Ｐ  被記録媒体
【図１】
2006015531.tif 000003
【図２】
2006015531.tif 000004
【図３】
2006015531.tif 000005
【図４】
2006015531.tif 000006
【図５】
2006015531.tif 000007